(57)【要約】　　　（修正有）【課題】ドアの開放補助に際し、そのための操作部材を不要とすると共に、ドアの開放作動に同期して作動した操作性の向上を可能とする。【解決手段】ドアの開き作動に伴うスライダ１２，１３の移動によりドア開放方向へのトルクを蓄えると共にドアの開放方向に移動するようにスライダ１２，１２を付勢する付勢ばね１４と、定位置での固定状態でスライダの移動方向に沿って伸びた固定部材１９と、付勢ばね１４の付勢力を受けると共にスライダ１２，１３との間で移動力が作用して固定部材１９に沿った移動が可能なように付勢ばね１４とスライダ１２，１３との間に配置された作用部材１５と、固定部材１９に保持されている。ドアの開き作動によって作用部材１５の移動をロックして付勢ばね１４をトルク蓄え状態にロックするロックボール１６と、ロックボール１６による作用部材の移動ロックをドアの閉じ作動に伴って解除するロック解除部材１７とを備える。【選択図】　　　　　図６
2004143812.tif 000002
【特許請求の範囲】
【請求項１】
ドアクローザのピニオンの回転と同期して回転するピニオンギアと、ピニオンギアと噛合した状態でドアの開閉に応じた方向に往復移動するスライダと、ドアの開き作動に伴うスライダの移動によりドア開放方向へのトルクを蓄えると共にドアの開放方向に移動するように前記スライダを付勢する付勢ばねと、ドアの開き作動によってトルク蓄え状態に付勢ばねをロックするロック機構と、ドアの閉じ作動によりロック機構のロックを解除するロック解除部材とを備えていることを特徴とするドア開放補助装置。
【請求項２】
ドアクローザのピニオンの回転と同期して回転するピニオンギアと、ピニオンギアと噛合した状態でドアの開閉に応じた方向に往復移動するスライダと、ドアの開き作動に伴うスライダの移動によりドア開放方向へのトルクを蓄えると共にドアの開放方向に移動するように前記スライダを付勢する付勢ばねと、定位置での固定状態でスライダの移動方向に沿って伸びた固定部材と、付勢ばねの付勢力を受けると共にスライダとの間で移動力が作用して固定部材に沿った移動が可能なように付勢ばねとスライダとの間に配置された作用部材と、固定部材に保持されており、ドアの開き作動によって作用部材の移動をロックして付勢ばねをトルク蓄え状態にロックするロックボールと、ロックボールによる作用部材の移動ロックをドアの閉じ作動に伴って解除するロック解除部材とを備えていることを特徴とするドア開放補助装置。
【請求項３】
全体を覆うケースを有し、前記ピニオンギアがドアクローザのピニオンと同軸的に連結されるようにケースがドアクローザに装着されることを特徴とする請求項１または２記載のドア開放補助装置。
【請求項４】
前記スライダは、ピニオンギアの両側で独立して往復移動するように一対が配置されていることを特徴とする請求項１〜３のいずれかに記載のドア開放補助装置。
【請求項５】
前記スライダは、ピニオンギアを跨いだコ字形に成形され、このスライダをピニオンギアとの噛合または解除方向に変位させるカム機構が前記ケース側に設けられていることを特徴とする請求項１〜３のいずれかに記載のドア開放補助装置。
【請求項６】
前記カム機構は、スライダを無限軌道における一方に沿って変位させるカム面を有していることを特徴とする請求項５記載のドア開放補助装置。
【請求項７】
前記固定部材に形成された多条ねじと、前記作用部材に連結されると共に多条ねじと噛合した状態で作用部材の移動に伴って固定部材の周囲を回転する回転駒とをさらに有していることを特徴とする請求項２記載のドア開放補助装置。
【発明の詳細な説明】
【０００１】
【発明の属する技術分野】
本発明は、ドアを開く操作力を補助してドア開放を行い易くするドア開放補助装置に関する。
【０００２】
【従来の技術】
マンションやビル等の密閉性の高い建造物では、ドアを開け閉めする際に大きな力が必要であるため、子供や高齢者に大きな負担となっている。このため、ドアを開く際の補助を行うドア開放補助装置が使用されている。
【０００３】
従来のドア開放補助装置は、ドアを開く際の補助を行う倍力機構をドアまたはドアを支持する壁に取り付け、ドアを開放するためのノブまたはレバー（以下、ノブ）を回動操作することにより、倍力機構を作用させてドア開放時の力を軽減させる構造となっている（例えば、特許文献１参照）。
【０００４】
【特許文献１】
特許第３０８４２６９号公報
【０００５】
【発明が解決しようとする課題】
従来のドア開放補助装置は、ドアの開閉を行うノブとは別個の箇所に配置されるため、ドア開放補助装置の作動を行うためのノブ等の操作部材を別個に取り付ける必要がある。しかしながら、このようにノブとは別個に配置される場合には、ドア本来のノブへの操作に加えて、ドア開放補助装置専用のノブを操作する必要があるため、操作が煩雑となる問題がある。
【０００６】
また、ドア開放補助装置がノブとは別個に設けられることから、ドア開放補助装置が目立つばかりでなく、ドアへの装着部品が多くなるため、外観が低下する問題がある。
【０００７】
本発明は、このような従来の問題点を考慮してなされたものであり、ドア開閉用のノブ以外の操作部材を不要とするばかりでなく、ドアの開放作動に同期して作動することができ、これにより、操作性を向上させることができると共に、目立つことがなく、ドアの外観の低下を防止することが可能なドア開放補助装置を提供することを目的とする。
【０００８】
【課題を解決するための手段】
上記目的を達成するため、請求項１の発明のドア開放補助装置は、ドアクローザのピニオンの回転と同期して回転するピニオンギアと、ピニオンギアと噛合した状態でドアの開閉に応じた方向に往復移動するスライダと、ドアの開き作動に伴うスライダの移動によりドア開放方向へのトルクを蓄えると共にドアの開放方向に移動するように前記スライダを付勢する付勢ばねと、ドアの開き作動によってトルク蓄え状態に付勢ばねをロックするロック機構と、ドアの閉じ作動によりロック機構のロックを解除するロック解除部材とを備えていることを特徴とする。
【０００９】
この発明では、ドアの開き作動に伴ったスライダの移動によって付勢ばねがトルクを蓄えると共に、ロック機構がこのトルクの蓄え状態にロックし、その後、ドアが閉じることにより、ロック解除機構がロックを解除する。これにより、閉じ状態では、ドアは常に開放方向に付勢されており、ドアの開放当初における操作力を軽減することができると共に、ドア施錠の解除だけで作動するため、操作性が格段に向上する。また、ドア開閉用のノブ以外の操作部材が不要となるため目立つことがなく、ドアの外観の低下を防止することができる。
【００１０】
また、この発明では、付勢ばねのトルク蓄えを行うスライダが、ドアクローザのピニオンの回転に同期して回転するピニオンギアに噛合していることから、ドアクローザに組み付けることも可能であり、これにより、ドアクローザを含めた全体がコンパクトとなり、外観が向上する。
【００１１】
請求項２の発明のドア開放補助装置は、ドアクローザのピニオンの回転と同期して回転するピニオンギアと、ピニオンギアと噛合した状態でドアの開閉に応じた方向に往復移動するスライダと、ドアの開き作動に伴うスライダの移動によりドア開放方向へのトルクを蓄えると共にドアの開放方向に移動するように前記スライダを付勢する付勢ばねと、定位置での固定状態でスライダの移動方向に沿って伸びた固定部材と、付勢ばねの付勢力を受けると共にスライダとの間で移動力が作用して固定部材に沿った移動が可能なように付勢ばねとスライダとの間に配置された作用部材と、固定部材に保持されており、ドアの開き作動によって作用部材の移動をロックして付勢ばねをトルク蓄え状態にロックするロックボールと、ロックボールによる作用部材の移動ロックをドアの閉じ作動に伴って解除するロック解除部材とを備えていることを特徴とする。
【００１２】
この発明においては、、ドアの開き作動に伴ったスライダの移動によって付勢ばねがトルクを蓄え、ロックボールが作用部材の移動をロックすることより付勢ばねをトルク蓄え状態にロックし、その後、ドアが閉じることにより、ロック解除機構がロックボールによるロックを解除する。従って、この発明においても、閉じ状態では、ドアは常に開放方向に付勢されているため、ドアの開放当初における操作力を軽減することができ、ドア施錠の解除だけで作動するため、操作性が向上し、さらに、ドア開閉用のノブ以外の操作部材が不要となるため目立つことがなく、ドアの外観の低下を防止することができる。
【００１３】
さらに、この発明においても、付勢ばねのトルク蓄えを行うスライダが、ドアクローザのピニオンの回転に同期して回転するピニオンギアに噛合しているため、ドアクローザに組み付けることも可能であり、ドアクローザを含めた全体をコンパクトとすることができ、外観が向上する。
【００１４】
請求項３の発明は、請求項１または２記載のドア開放補助装置であって、全体を覆うケースを有し、前記ピニオンギアがドアクローザのピニオンと同軸的に連結されるようにケースがドアクローザに装着されることを特徴とする。
【００１５】
この発明では、構成部材の全体を覆うケースがドアクローザに装着されるため、ドアクローザと一体となって目立つことがなくなり、外観の低下を効果的に防止することができる。
【００１６】
請求項４の発明は、請求項１〜３のいずれかに記載のドア開放補助装置であって、前記スライダは、ピニオンギアの両側で独立して往復移動するように一対が配置されていることを特徴とする。
【００１７】
このようにスライダをピニオンギアの両側に設けることにより、スライダの円滑な作動を確保することができる。
【００１８】
請求項５の発明は、請求項１〜３のいずれかに記載のドア開放補助装置であって、前記スライダは、ピニオンギアを跨いだコ字形に成形され、このスライダをピニオンギアとの噛合または解除方向に変位させるカム機構が前記ケース側に設けられていることを特徴とする。
【００１９】
この発明においては、コ字形のスライダがピニオンギアに両側から噛合可能となっており、カム機構がこの噛合及びその解除を行うようにスライダを変位させるため、スライダの円滑な作動を行うことができる。
【００２０】
請求項６の発明は、請求項５記載のドア開放補助装置であって、前記カム機構は、スライダを無限軌道における一方に沿って変位させるカム面を有していることを特徴とする。
【００２１】
このようにスライダを一方向に沿って変位させることにより、スライダの逆方向への変位がなくなるため、スライダを確実に作動させることができる。
【００２２】
請求項７の発明は、請求項２記載のドア開放補助装置であって、前記固定部材に形成された多条ねじと、前記作用部材に連結されると共に多条ねじと噛合した状態で作用部材の移動に伴って固定部材の周囲を回転する回転駒とをさらに有していることを特徴とする。
【００２３】
回転駒が多条ねじと噛合することにより、回転駒は作用部材の移動に伴って回転するため、作用部材はドアを閉じる際に緩速度で移動する。これにより、ロック解除部材によるロック解除をドアが完全に閉じた後に合わせて行うことができ、ドアの閉じ作動の途中でロック解除されることがなくなる。
【００２４】
【発明の実施の形態】
以下、本発明を図示する実施の形態により、具体的に説明する。なお、各実施の形態において、同一の部材には同一の符号を付して対応させてある。
【００２５】
（実施の形態１）
図１〜図１０は、本発明の実施の形態１のドア開放補助装置を示し、図１はドア開放補助装置を備えたドアを室内側から見た正面図、図２はその側面図、図３は平面図、図４は実施の形態１の平面図、図５は図６のＢ−Ｂ線における側面からの断面図、図６は図５のＡ−Ａ線断面図、図７は図６のＣ−Ｃ線断面図、図８は作動を示す断面図、図９及び図１０はロックボールのロック状態の各例を示す断面図である。
【００２６】
図１〜図３に示すように、この実施の形態のドア開放補助装置１は、ドア２及びドア２を開閉自在に支持する壁３にかけて取り付けられたドアクローザ４に取り付けられるものである。ドア２はヒンジ５を介して壁３に正逆回転可能に支持されており、その正逆回転可能によって開閉作動する。ドア２は室内６及び室外７側にそれぞれノブ８が取り付けられており、ノブ８を回転操作することによりラッチ（図示省略）が壁３側から抜け出て施錠が解除されるため開放可能状態となる。
【００２７】
この実施の形態のドア開放補助装置１は、ドア２を開き方向に回転付勢するため、一般的に使用されているドアクローザ４に取り付けられて作動するものであり、ドアクローザ４を図４〜図６により説明する。
【００２８】
ドアクローザ４は、ドア２に固定されるボックス状のクローザ本体４ａと、クローザ本体４ａ及び壁３に両端部が枢支されると共に中間部分が枢支状態で連結された２本のアーム４ｂ、４ｃとを備えている。クローザ本体４ａの内部には、往復移動するピストン４ｄと、ピストン４ｄをドアの閉じ方向に移動するように付勢するコイルばね４ｅとが配置されている。また、クローザ本体４ａには、ピニオン９が厚さ方向に貫通するように取り付けられており、このピニオン９がピストン４ｄに形成されたラック（図示省略）と噛合している。従って、ドア２の開閉に伴ってピストン４ｄが往復移動すると、ピニオン９が正逆方向に回転するようになっている。この場合、ノブ８等を介してドア２を開き作動すると、ピストン４ｄが一方向に移動してコイルばね４ｅを圧縮するため、コイルばね４ｅにドア閉じ方向のトルクが蓄えられる。これにより、ドアクローザ４はドア２が自動的に閉じるように作用する。
【００２９】
ピニオン９は四角形断面等の非円形断面となっており、その一部がクローザ本体４ａから抜き出ている。ドア開放補助装置１は、クローザ本体４ａから抜き出たピニオン９との連結状態で使用されるものである。
【００３０】
この実施の形態のドア開放補助装置１は、ピニオンギア１１と、一対のスライダ１２、１３と、ドア開放方向へのトルクを蓄える付勢ばね１４と、作用部材１５と、ロックボール１６と、ロック解除部材１７と、以上の部材を覆うことによりこれらを収納したケース１８とを備えている。
【００３１】
ピニオンギア１１は図８に示すように、ドアクローザ４側のピニオン９の外形に相応した非円形形状（四角断面形状）の嵌合孔１１ａが形成されており、この嵌合孔１１ａがピニオン９と嵌合することによりピニオン９に同軸的に連結され、ピニオン９の回転と同期して一体的に回転する。
【００３２】
ケース１８は、ピニオンギア１１がドアクローザ４のピニオン９と連結された状態となるように、ドアクローザ４のクローザ本体４ａと当接した状態でドアクローザ４に取り付けられ、ねじ２３によって固定される。従って、ドア開放補助装置１はドアクローザ４と一体となった状態でドア２に配置される。
【００３３】
一対のスライダ１２、１３は、ピニオンギア１１の両側に位置するようにケース１８内に配置されており、ピニオンギア１１側の面にラック１２ａ，１３ａが形成され、このラック１２ａ，１３ａがそれぞれピニオンギア１１に噛合している。これにより、ピニオンギア１１の回転によってスライダ１２、１３が直線方向に往復移動する一方、スライダ１２、１３の往復方向への移動によってピニオンギア１１が回転する。以下、図８に示す右側に位置するスライダを第１のスライダ１２、左側に位置するスライダを第２のスライダ１３として説明する。
【００３４】
ケース１８には、その内部の一側から他側に向かって内筒１９が略中央部分に一体的に延びている。この内筒１９は、固定部材として機能するものであり、後述するロックボール１６を保持している。内筒１９の長さ方向の中間部分には、径が大きくなることによって段状のストッパ部１９ａが形成されている。また、内筒１９には、後述するロック解除部材１７が貫通する横孔１９ｂが形成されている。
【００３５】
付勢ばね１４は、両端が自由端となったコイルばねが使用されており、スライダ１２、１３の直線移動方向における一側（内筒１９の立ち上がり側）に位置するようにケース１８内に配置されている。
【００３６】
作用部材１５は、付勢ばね１４とスライダ１２、１３との間に設けられており、その一面には付勢ばね１４の一方の端部が当接し、他面にはスライダ１２、１３が当接可能となっている。これにより、作用部材１５は付勢ばね１４の付勢力を受けると共に、付勢ばね１４の付勢方向と逆方向に移動することにより付勢ばね１４がトルクを蓄えるように作用する。また、作用部材１５とスライダ１２、１３との間で移動力が作用するようになっている。この作用部材１５には、内筒１９のストッパ部１９ａに係合する段状の係合部１５ａが形成されている。
【００３７】
ロックボール１６は、内筒１９に形成されたボール保持孔１９ｃ内に保持されており、内筒１９の径方向に移動可能となっている。この場合、ロックボール１６は複数がボール保持孔１９ｃに保持されるものである。
【００３８】
このロックボール１６は、ドア２を開き作動する際に、内筒１９の外側に移動して作用部材１５に係合し、これにより作用部材１５の移動をロックするように作用する。そして、このように作用部材１５の移動がロックされることにより、付勢ばね１４の伸長が阻止されるため、付勢ばね１４はトルクの蓄え状態にロックされる。
【００３９】
作用部材１５には、ロックボール１６を内筒１９のボール保持孔１９ｃに押し込むための加工が施されている。図９及び図１０は、この加工の一例を示している。図９においては、作用部材１５の係合部１５ａにおけるショルダー部分に円弧部１５ｂが形成されており、図１０においては、係合部１５ａに斜面部１５ｃが形成されており、これらの加工によってロックボール１６を内筒１９方向に押し出すことが可能となっている。
【００４０】
ロック解除部材１７は、内筒１９の内部に挿入されている。このロック解除部材１７は、内筒１９内を移動するスライド部２０と、スライド部２０の先端から横方向に一体的に伸びる解除バー部２１とによって形成されており、側面から見てＬ字形となっている。
【００４１】
スライド部２０は、内筒１９内の内面に摺接する大径の摺動部２０ａと、摺動部２０ａからピニオンギア１１方向に伸びる小径のピン部２０ｂと、摺動部２０ａとピン部２０ｂとの間に形成されたテーパ部２０ｃとを有している。このスライド部２０と内筒１９の底面との間には、ロック解除部材１７をピニオンギア１１方向に付勢する押しばね２２が配置されている。
【００４２】
解除バー部２１は、ピン部２０ｂの先端から直交方向に屈曲しており、これにより内筒１９の横穴１９ｂを貫通している。第１のスライダ１２には、この解除バー部２１が係合する凸部１２ｂが形成されている。
【００４３】
次に、この実施の形態の作動を図８を参照して説明する。
【００４４】
図８（ａ）はドア開放補助装置１がドア２を開放方向に付勢する状態を示している。この状態では、第１のスライダ１２の凸部１２ｂが解除バー部２１に係合して、ロック解除部材１７を押圧するため、ロック解除部材１７が後退する。これにより、ロックボール１６はスライド部２０のピン部２０ｂと接触するようにボール保持孔１９ｃ内に入り込むため、作用部材１５が自由状態となっており、付勢ばね１４の付勢力を受けて第１のスライダ１２を矢印Ｆ方向に押圧する。従って、ピニオンギア１１は第１のスライダ１２によってドア２を開く方向である矢印Ｇ方向に回転するように付勢された状態となっている。
【００４５】
図８（ｂ）は、ノブ８を回してドア２の施錠を解除した状態を示す。上述した図８（ａ）で示したように作用部材１５が自由状態（ロック解除状態）となって付勢ばね１４のばね力を受けているため、ドア２の施錠が解除されると、作用部材１５は第１のスライダ１２を矢印Ｆ方向に移動させる。これにより、ピニオンギア１１が矢印Ｇ方向に回転するため、ピニオンギア１１に連結されているドアクローザ４のピニオン９を介してドア２が開放方向に付勢される。これにより、ドア２の開放当初における操作力を軽減することができ、ドア開放操作が容易となる。
【００４６】
図８（ｃ）は、図８（ｂ）に続いた状態であり、ノブ８を介してドア２を開き作動させる状態を示している。ドア２の開き作動によって、ドアクローザ４のピニオン９を介してピニオンギア１１が矢印Ｇ方向に回転するため、第２のスライダ１３が作用部材１５方向に移動して同部材１５を付勢ばね１４の付勢方向と逆方向（同図における下方向）に移動させる。これにより、付勢ばね１４が短縮作動して、ドア２を開放する方向へのトルクが蓄えられる。
【００４７】
また、作用部材１５が移動することにより、ロックボール１６と作用部材１５との接触状態が解除されるため、ロックボール１６をボール保持孔１９ｃ内に保持する作用が消失する。これにより、ロックボール１６は内筒１９と作用部材１５との間に挟まれ、これと同時に押しばね２２の作用によって、ロック解除部材１７がピニオンギア１１の方向（同図における上方向）に移動して、スライド部２０における大径の摺動部２０ａがロックボール１６と接触し、ロックボール１６をボール保持孔１９ｃの外側に押し出す。これにより、ロックボール１６が作用部材１５の係合部１５ａに係合するため、作用部材１５は移動がロックされ、付勢ばね１４はトルク蓄え状態でロックされる。従って、この実施の形態では、ドア２の開き作動に伴って、ドア２を開放方向に付勢するトルクを付勢ばね１４に蓄えることが可能となっている。
【００４８】
図８（ｄ）は、開放状態のドア２を閉める際の閉じ作動を示す。ドア２の閉じ作動はドアクローザ４のコイルばね４ｅの付勢力によって自動的に行われ、ピニオン９がドア２の閉じ方向に回転する。これにより、ピニオンギア１１はドアクローザ４のピニオン９と同期して矢印Ｈ方向に回転する。このピニオンギア１１の矢印Ｈ方向への回転により、第１のスライダ１２が矢印Ｈ方向に移動して図８（ａ）の状態に復帰するが、ロックボール１６による作用部材１５の移動のロックが継続しているため、付勢ばね１４はトルクが蓄積された状態のままとなっており、ドア２を開放する方向への力が作用することはない。この状態は、ドア２が完全に閉じた状態で解除され、ドア２が完全に閉じた状態では、図８（ａ）の状態に移行するためドア２の開放方向への付勢が行われる。
【００４９】
このような実施の形態では、ドア２の閉じ状態でドア２が常に開放方向に付勢されているため、施錠を解除することにより、ドア開放当初における操作力を軽減することができる。また、この操作力軽減の作用は、ドア２が完全に閉まるだけで自動的に行われるため、操作力軽減のために他の部材を操作する必要がなく操作性が向上する。さらに、ケース１８がドアクローザ４に取り付けられるため、ドア２や壁３の他の箇所にドア開放補助装置１を配置する必要がない。このため、目立つことがなく、ドアの外観の低下を防止することができる。
【００５０】
（実施の形態２）
図１１は、本発明の実施の形態２を示し、同図（ａ）はドア２の施錠を解除した図８（ｂ）に対応し、同図（ｂ）はドア２を開き作動させる図８（ｃ）に対応している。
【００５１】
この実施の形態において、固定部材である内筒１９の作用部材１５側の外面に多条ねじ２５が形成されている。一方、作用部材１５には丸線リング等の連結部材２６を介して回転駒２７が取り付けられている。回転駒２７は内筒１９の多条ねじ２５形成部位を囲む筒状となっており、その内面には多条ねじ２５と噛合する多条ねじ２７ａが形成されている。
【００５２】
このように多条ねじ２５、２７ａが相互に噛合することにより、回転駒２７は作用部材１５の直線方向の移動に伴って内筒１９回りに回転する。この回転により、作用部材１５は緩速度で移動することができる。このような構造では、打ちつつ１９の多条ねじ２５及びこの多条ねじ２５に噛合する多条ねじ２７ａが形成された回転駒２７は、作用部材１５に移動を遅くする緩動機構を構成するものである。
【００５３】
このように緩速度で作用部材１５が移動する場合には、ドア２が完全に閉じた後に、作用部材１５へのロックを解除することができ、ドア２の閉じ作動の途中でロック解除が行われないため、付勢ばね１４のトルクを確実に保持することができる。
【００５４】
図１２は、この実施の形態の変形々態を示す。この実施の形態においても、内筒１９に多条ねじ２５が形成されると共に、多条ねじ２５に噛合する多条２７ａが回転駒２７に形成されている。これに加えて、この形態では、回転駒２７に作用部材１５方向に伸びる延長部２８が形成されている。延長部２８は、筒状となって作用部材１５を外側から囲んでおり、これらの延長部２８と作用部材１５との間に粘性グリス（図示省略）が充填されている。このような形態では、多条ねじによる作用に加えて、回転駒２７が回転することによって粘性グリスに剪断力が発生するため、作用部材１５をさらに緩速度で移動させることができ、ドア２が完全に閉じた後における作用部材１５へのロック解除を確実に行うことができる。
【００５５】
（実施の形態３）
図１３〜図１７は、本発明の実施の形態３を示し、図１３はこの実施の形態のドア開閉補助装置３１をドアクローザ４へ取り付けた状態の断面図、図１４は図１３のＤ−Ｄ線断面図、図１５及び図１６はカム機構の断面図及び斜視図、図１７は作動の断面図である。
【００５６】
この実施の形態のドア開閉補助装置３１においては、コ字形に成形されたスライダ３３が用いられると共に、スライダ３３を変位させるカム機構３５が配置されている。その他の構成は、実施の形態１と同様となっている。なお、ロック解除部材１７はスライド部２０と、スライド部２０のピン部２０ｂの先端に横方向に取り付けられた解除バー部２１との２部材によって形成されるものである。
【００５７】
コ字形に成形されたスライダ３３は、ピニオンギア１１を跨いだ状態となるようにケース１８に取り付けられている。スライダ３３における対向面には、ピニオンギア１１と噛合する第１のラック３３ａ及び第２のラック３３ｂがそれぞれ形成されている。このスライダ３３は図１７に示すように、ドア２の開閉状態に応じていずれかの一方のラック３３ａ、３３ｂがピニオンギア１１と噛合すると共に、他方のラック３３ａ、３３ｂがピニオンギア１１との噛合から解除する方向に変位する。
【００５８】
カム機構３５は、スライダ３３の変位を行うものであり、ケース１８に固定的に取り付けられたカムプレート３６と、スライダ３３に取り付けられてカムプレート３６と係合するカムピン３７とによって構成されている。
【００５９】
カムプレート３６には、図１５及び図１６に示すように、閉鎖した矩形枠状のガイド溝３６ａが形成されており、このガイド溝３６ａの底面にカム面３８が形成されている。カム面３８はカムピン３７が摺動するものであり、上述したように、矩形枠状の閉鎖空間となっているガイド溝３６ａにカム面３８が形成されていることにより、カム面３８はカムピン３７が循環して摺動する無限軌道を形成している。
【００６０】
この実施の形態において、カム面３８は、カムピン３７の循環方向に沿って徐々に高くなる４つの傾斜面部３８ａ、３８ｂ、３８ｃ、３８ｄを矩形状に配することにより形成されている。各傾斜面部３８ａ、３８ｂ、３８ｃ、３８ｄの終端は最も高くなっており、これに続く次の傾斜面部３８ａ、３８ｂ、３８ｃ、３８ｄの始端が最も低くなっている。従って、隣接する傾斜面部３８ａ、３８ｂ、３８ｃ、３８ｄの境界部分には、段状に落ち込む壁部３８ｆが形成されている。このように壁部３８ｆを形成することにより、スライダ３３側のカムピン３７は壁部３８ｆによって逆方向への循環が阻止される。これにより、カムピン３７は図１６の矢印Ｍで示す一方向に沿って循環するため、スライダ３３はこの方向に沿って変位する。
【００６１】
以上のカムプレート３６は支えばね３９に支承されている。支えばね３９は板ばねからなり、図１５に示すように、ケース１８とカムプレート３６との間に設けられることにより、カムプレート３６を弾性的に支承している。これにより、カムプレート３６は弾性的に持ち上げられた状態となっているため、カムピン３７とカム面３８との良好な接触を保持することが可能となっている。
【００６２】
この実施の形態の作動を示す図１７において、（ａ）は図８（ａ）に対応しており、ドア開放補助装置３１がドア２を開放方向に付勢する状態である。従って、図８（ａ）と同様に、作用部材１５が自由状態となっており、スライダ３３は作用部材１５を介して付勢ばね１４によりドア２の開放方向に移動するように付勢された状態となっている。このときには、第１のラック３３ａがピニオンギア１１に噛合しており、カムピン３７は傾斜面部３８ｃの始端に停止している。
【００６３】
図１７（ｂ）は、図８（ｂ）に対応しており、ノブ８を回してドア２の施錠を解除した状態である。この状態では、付勢ばね１４のばね力によって作用部材１５がピニオンギア１１の方向に移動するため、スライダ３３が同方向に移動し、これによりカムピン３７は傾斜面部３８ｃを摺動した後、傾斜面部３８ｄの終端に達し、第１のラック３３ａがピニオンギア１１に噛合との噛合から外れる一方、第２のラック３３ｂがピニオンギア１１と噛合する。
【００６４】
図１７（ｃ）は、図８（ｃ）に対応しており、ノブ８を介してドア２を開き作動させる状態である。この状態では、ドア２の開き作動に伴ってスライダ３３が図１７（ｂ）とは反対の方向に移動するため、カムピン３７は傾斜面部３８ａを摺動する。そして、スライダ３３の移動によって、作用部材１５が押されるため、付勢ばね１４が短縮作動し、ドア２を開放する方向へのトルクが蓄えられる。その後、ロックボール１６によって、作用部材１５の移動がロックされるため、付勢ばね１４はトルク蓄え状態でロックされる。
【００６５】
図１７（ｄ）は、図８（ｄ）に対応しており、開放状態のドア２を閉める際の作動状態である。このときには、第１のラック３３ａがピニオンギア１１に噛合しており、ドアクローザ４からのドア２の閉じ力によりスライダ３３が作用部材１５の方向に移動する。
【００６６】
このような実施の形態では、ドアの開閉作動に応じてスライダ３３がピニオンギア１１との噛合及び解除の変位を行いながら往復移動するため、実施の形態１と同様な作用及び効果を得ることができる。
【００６７】
本発明は、以上の実施の形態に限定されることなく、種々変形が可能である。例えば、ケース１８をドアクローザ４に取り付けてドア開放の補助を行っているが、ケース１８を省いて、スライダ１２，１３または３３、付勢ばね１４、作用部材１５やその他の構成部品をドアクローザ４内に組み込むことができる。これにより、ドアクローザ４の取り付けと同時にドア開放補助装置をドア２に装着することができるため、簡単に取り付けることが可能となる。
【００６８】
また、図１１及び図１２に示す緩動機構を実施の形態３に組み込んでも良い。さらに、カム機構３５のカム面３８としては、傾斜面部３８ａ、３８ｂ、３８ｃ、３８ｄを形成することなく、平坦な面としても良い。
【００６９】
【発明の効果】
以上説明したように、本発明によれば、ドアの開放補助のための操作部材が不要となると共に、ドアの開放作動に同期して作動することができるため、操作性が向上し、さらには、目立つことがなく、ドアの外観の低下を防止することができる。
【図面の簡単な説明】
【図１】本発明の実施の形態１の使用状態を示す正面図である。
【図２】図１の側面図である。
【図３】図１の平面図である。
【図４】実施の形態１が組み込まれたドアクローザの平面図である。
【図５】実施の形態１が組み込まれたドアクローザの側面からの断面図である。
【図６】図５のＡ−Ａ線断面図である。
【図７】図６のＣ−Ｃ線断面図である。
【図８】（ａ）〜（ｄ）は作動を示す断面図である。
【図９】ロックボールのロック状態を示す断面図である。
【図１０】ロックボールの別のロック状態を示す断面図である。
【図１１】（ａ）及び（ｂ）は実施の形態２の断面図である。
【図１２】（ａ）及び（ｂ）は実施の形態２の変形々態を示す断面図である。
【図１３】実施の形態３の断面図である。
【図１４】図１３におけるＤ−Ｄ線断面図である。
【図１５】実施の形態３に用いるカム機構の断面図である。
【図１６】実施の形態３に用いるカム機構の分解斜視図である。
【図１７】（ａ）〜（ｄ）は実施の形態３の作動を示す断面図である。
【符号の説明】
１　ドア開放補助装置
２　ドア
４　ドアクローザ
９　ピニオン
１１　ピニオンギア
１２　第１のスライダ
１３　第２のスライダ
１４　付勢ばね
１５　作用部材
１６　ロックボール
１７　ロック解除部材
２５　多条ねじ
２７　回転駒
３３　カム機構
【図１】
2004143812.tif 000003
【図２】
2004143812.tif 000004
【図３】
2004143812.tif 000005
【図４】
2004143812.tif 000006
【図５】
2004143812.tif 000007
【図６】
2004143812.tif 000008
【図７】
2004143812.tif 000009
【図８】
2004143812.tif 000010
【図９】
2004143812.tif 000011
【図１０】
2004143812.tif 000012
【図１１】
2004143812.tif 000013
【図１２】
2004143812.tif 000014
【図１３】
2004143812.tif 000015
【図１４】
2004143812.tif 000016
【図１５】
2004143812.tif 000017
【図１６】
2004143812.tif 000018
【図１７】
2004143812.tif 000019